(57)【特許請求の範囲】
【請求項１】
地面と接触するための外面（１ａ）と使用者の足と接触するための内面（２ｂ）とを持つソールを含み、ソールが、該ソールの長手軸（Ｌ）のいずれの側でも長手軸に関し長手方向に延びる動力学的要素を含む、ラケットスポーツ用の靴すなわち履物であって、横方向リターンプレート（３，３０）を含む動力学的要素が、足のアーチと足の前部の少なくとも一部とに対応するゾーンの下方において長手方向に延びるようにソールに配置され、また動力学的要素が、弾性変形可能であるとともに互いに横方向において反対に相互作用する２つの横方向地面支持部を中足骨の支持ゾーン内に含んでいて、ソールが横方向応力を受けた時にエネルギーを蓄積および解放し、前記横方向地面支持部は長手軸（Ｌ）に垂直であり且つソールの横方向に延びる軸の両側に位置しており、それぞれの横方向地面支持部は、リターンプレートがＸ字形になるよう一対の分岐部を有することを特徴とする靴。
【請求項２】
前記動力学的要素が、少なくとも局所的に切り離された前記外側層（１）と中間層（２）との間に配置されており、ソールのかかとを形成する部分（１ｅ）の部位、および／または、ソールの前部（１ｆ）の上向エッジ（１ｃ，１ｄ）の周縁の部位において、中間層（２）が該外側層（１）に固定されていることを特徴とする請求項１に記載の靴。
【請求項３】
前記リターンプレート（３）の各分岐部（４〜７，４′〜７′）が支持要素（４ａ，５ａ，６ａ，７ａ）を圧迫することを特徴とする、請求項１又は２に記載の靴。
【請求項４】
前記４つの分岐部（４，５，６，７）が互いに接続されていることを特徴とする、請求項１から３のいずれか一項に記載の靴。
【請求項５】
前記支持要素（４ａ，５ａ，６ａ，７ａ）が前記リターンプレート（３）の上方に配置されていることを特徴とする、請求項３又は４に記載の靴。
【請求項６】
中足骨の位置に対応するゾーンに従ってリターンプレート（３）が長手軸（Ｌ）に垂直であり且つソールの横方向に延びる軸に沿って弾性変形可能なことを特徴とする、請求項１から５のいずれか一項に記載の靴。
【発明の詳細な説明】
【技術分野】
【０００１】
本発明は、靴の技術分野、より詳しくはラケットスポーツ用履物の分野に関するものである。
【０００２】
このような靴は、特にテニス、バドミントン、スカッシュなどのプレイの際には、かなりの機械応力を受ける。
【０００３】
本発明はさらに詳しくはこのような靴のためのソールに関連するものであり、それは、このソールが、靴の高い作用力と応力とを吸収する一方で、靴を履いている者に最高の快適性を保証するからである。
【背景技術】
【０００４】
地面と接触するための外面とユーザの足と接触するための内面とを有するソールを含む靴用、例えばスポーツ靴用のソールを製造することは周知である。
【０００５】
弾性変形自在な動力学的要素(dynamic element)をさらに内蔵するソールを備える靴も周知である。
【０００６】
文献、欧州特許公報第０５１６８７４号（ＥＰ  ０  ５１６  ８７４）には、ソールの前部にベルビルワッシャタイプのインサートを備えて、歩行中のエネルギーの蓄積と放出とを可能にする靴が記載されている。
【０００７】
ソールと靴の応力がこの文献に記載されたような従来の歩行用靴におけるよりも極めて強くて分布が異なるテニスまたはスカッシュのタイプのスポーツには、このようなソールはいかなる点でも適していない。
【特許文献１】欧州特許公報第０５１６８７４号
【特許文献２】米国特許第５５７２８０５号明細書
【特許文献３】米国特許第４８５８３３８号明細書
【特許文献４】イギリス国特許公開公報第２２５６７８４号
【特許文献５】国際特許公開公報第ＷＯ/００/７２７１３号
【発明の開示】
【発明が解決しようとする課題】
【０００８】
本発明の目的は、ソールの横方向支持体がかなりの応力を受ける過酷な使用に適した靴のソールを製造することであり、これによって、横方向支持体があまり応力を受けないほぼ直角または対置の位置におけるソールおよび足の復帰を補助するものである。
【課題を解決するための手段】
【０００９】
本発明によれば、上述したタイプの履物は、ソールは、該ソールが横方向応力を受けた時にエネルギーを蓄積および解放する動力学的要素を含み、一方では、足のアーチに対応するゾーンの下に少なくとも部分的に、また足の前部に対応するゾーンの下に少なくとも部分的に延びるようにソールに配置されたリターンプレートを含み、他方では、中足骨の支持ゾーンのいずれの側にも長手方向に配置された少なくとも２つの弾性変形可能な横方向地面支持部を含むことを本質的な特徴とする。
【００１０】
本発明によるソールの一実施例によれば、リターンプレートは、例えばＸの形状を形成する４つの分岐部を含み、各分岐部は支持要素を圧迫する。
【００１１】
変形例では、４つの分岐部は互いに接続されている。
【００１２】
別の変形例では、４個の分岐部は２つずつ接続されて独立した２対を構成する。
【００１３】
支持要素は、リターンプレートの上方に配置されることが望ましい。
【００１４】
変形例では、支持要素はリターンプレートの下方に配置される。
【００１５】
、支持要素は、ソールの外側層の内面の周縁の付近に配置される４つの地面支持ゾーンを内面に形成することが望ましい。
【００１６】
一実施例によれば、各支持要素は付加された圧縮可能部である。
【００１７】
一実施例によれば、該プレートはソールの長手軸（Ｌ）に関して長手方向に延在する中央部を有し、分岐部は中央部から支持要素に向かって斜めに延びる。
【００１８】
一実施例によれば、中央部は中足骨の位置に対応するゾーンの部位においてソールに配置された横溝を有し、ゆえに、長手軸に対して略直角な軸に沿ったプレートの弾性変形が可能となる。
【００１９】
一実施例によれば、プレートは肉厚部を少なくとも局所的に有する。
【００２０】
肉厚部は、例えば弾性材料で作られ、局所的に薄くなっている。
【００２１】
一実施例によれば、横方向支持体が２つの対向支持体を構成する。
【００２２】
一実施例によれば、動力学的要素は形状記憶のリターンプレートである。
【００２３】
一実施例によれば、外側層の内面への接着によりプレートが固定される。
【００２４】
一実施例によれば、少なくとも局所的に切り離された外側層と中間層との間にリターンプレートが配置される。
【００２５】
リターンプレートの分岐部は、例えば互いに一体である。
【００２６】
変形例において、リターンプレートは、対向して取り付けられた少なくとも２個のＶ字形部品からなる。
【００２７】
本発明による靴の長所は、足前部の反応を機械的に補助することにある。
【００２８】
従って、本発明による靴は、支持段階において一層容易で迅速な戻りを促すことにより、足前部の反応に対する横方向の動力学的補助を可能にする。実際、動力学的要素は、足前部の部位において地面支持部が反対に反応することを可能にする。こうして中足骨の支持ゾーンのいずれの側でも、支持部が一方で圧縮され、他方で弛緩する。
【００２９】
本発明の別の目的は、上述した特徴の一つを有するソールを含む靴を提供することである。
【発明を実施するための最良の形態】
【００３０】
添付図面を例として参照することにより、他の特徴と長所が以下の詳細な説明から明らかになるだろう。
【００３１】
図１に斜視図で示された本発明によるラケットスポーツ用の靴１０すなわち履物は、特に、テニス、スカッシュ、バドミントンのようなスポーツ、つまりプレーヤがラケットを使用するスポーツを行う時に使用するための靴である。
【００３２】
このようなスポーツを行う時、プレーヤは、左から右そしてその逆の横移動で自分の身体のバランスを取らなければならないことが多い。横方向往復移動は試合中に非常に数多く見られ、迅速でなければならない。
【００３３】
靴１０には、例えば外側層１を含む、図２に示されたソールが一体化されている。外側層は、地面と接触するための外面１ａと、内面１ｂとを含む。外面１ａは、接地密着性を向上できる様々なコーティングで被覆されてもよい。
【００３４】
図１のソールはまた、外側層１の上に配置される中間層２を含み、その上に補足的ないわゆる衛生(hygienic)ソール（不図示）が配置される。この中間層は、ユーザの足と接触するための内面２ｂを有する。外側層１はまた、中間層２が間に配置される上向エッジ１ｃ，１ｄを局所的に備えてもよい。
【００３５】
本発明の本質的な特徴によれば、動力学的要素(dynamic element)は、ソールの内部構造に相関する部位においてソールに配置されたリターンプレート３の形態を取る。このプレートの機能はソールの組成に含まれる層の数とは無関係であり、重要なのは、プレーヤが試合中、特に横方向の戻り動中にこのプレートを圧迫することができるという事実のみである。
【００３６】
外側層１と中間層２との間には、例えば、ソールの動力学的要素を形成するリターンプレート３が配置される。このような動力学的要素は、靴そして結果的にはソールの相当な機械的圧迫と応力とから生じるエネルギーを蓄積および解放することを可能にする。
【００３７】
リターンプレート３は例えば、接着により内面１ｂに固定される。
【００３８】
本発明によるソールを製造すべく、中間層２は、外側層１に付加される、より詳しくは外側層の内面１ａに固定される。
【００３９】
外側層１と中間層２とは、少なくとも局所的に、詳しくはリターンプレート３の付近において切り離されている。中間層２は、ソールのかかとを形成する部分１ｅの部位と、上向エッジ１ｃと前部１ｆの上向エッジ１ｄの周縁の部位において、外側層１に固定されている。
【００４０】
特に図２と３に見られるリターンプレート３は、互いに接続されて例えばＸ字形を形成する４個の分岐部４，５，６，７を含む。
【００４１】
分岐部４，５，６，７の各々は、内面１ｂにおいてその周縁付近に配置された対応する支持要素４ａ，５ａ，６ａ，７ａ上に載せられている。
【００４２】
支持要素４ａ，５ａ，６ａ，７ａはこうして、４個の横方向地面支持ゾーンを内面１ｂに形成する。
【００４３】
各支持要素４ａ，５ａ，６ａ，７ａは例えば、内面１ｂに付加された圧縮可能な部品によって構成される（図５、６参照）。
【００４４】
変形例として、支持要素の各々は、内面１ｂの若干の変形、厚みの増加、材料の除去により形成されて、各分岐部４，５，６，７の端部を位置決めする役割を果たしても良い。
【００４５】
さらに変形例では、支持要素４ａ〜７ａは分岐部の下方に配置されず、プレートの分岐部の上方に配置されてもよい。
【００４６】
リターンプレート３は、ソールの長手軸Ｌに関して長手方向に延在する中央部８を有することが望ましい。
【００４７】
分岐部４，５，６，７は、中央部８から対応する支持要素４ａ，５ａ，６ａ，７ａに向かって斜めに延びる。
【００４８】
本発明によれば、中足骨の支持ゾーンによって定められる長手軸のいずれの側にも分岐部４〜７が配置されるので、支持要素はこの軸のいずれの側にも位置する。このように２対の支持要素が形成され、一方は支持要素４ａ，５ａにより、他方は支持要素６ａ，７ａにより構成される。これら各対では、支持要素は足の横方向の戻りを可能にすべく反対に相互作用する。
【００４９】
こうして、支持要素４ａが圧縮されると反対の支持要素５ａが弛緩し、その逆も行われる。支持要素６ａ，７ａの対についても同じことが当てはまる。
【００５０】
中央部８はまた、リターンプレート３が内面１ｂに固定された時の中足骨の位置に対応するゾーンに従ってソールに延在する横溝９を有する。
【００５１】
ゆえにこの溝９によって、長手軸Ｌに対して略直角であり溝９と一致する軸に沿って、リターンプレート３の弾性変形が可能となる。
【００５２】
一実施例によれば、リターンプレート３は肉厚部３ａも有する。
【００５３】
これらの肉厚部３ａの一実施例が、例えば図２，３，４に示されている。
【００５４】
肉厚部３ａは、１個以上の分岐部４〜７の圧縮中の変形を弾性によって可能にするとともに、初期位置への戻りを促す材料で製作されている。リターンプレートの圧縮／弛緩の機能を促すため、肉厚部は例えば中央部が薄くなっており、あるいは湾曲している。
【００５５】
この圧縮／弛緩の機能は、横方向支持点を多くすることにより、例えばリターンプレートの分岐部の数を増大することによって、さらに促される。これにより、応力に対するより一層の局所的リアクションと、このリアクションのある程度の向上すらも得ることが可能となる。この機能は、リターンプレートに溝を配することによって得てもよい。
【００５６】
外側層１は例えば開口部１０，１１を備え、これらに肉厚部３ａが係合して位置決めされる。
【００５７】
開口部１０，１１は透明材料で被覆または充填されて、外側層１を介してリターンプレート３の少なくとも一部を視認できると好都合である。
【００５８】
同様に、横方向支持体４ａ，５ａ，６ａ，７ａに対応するゾーンを外面１ａから視認できるように、外側層１に、支持要素４ａ，５ａ，６ａ，７ａまたは分岐部４，５，６，７の端部に対向する補足的な透明ゾーンを備えてもよい。
【００５９】
リターンプレート３は例えば金属であるか、高機能プラスチック材料または複合材料で製作される。
【００６０】
中間層２は外側層１とともに、例えばゴムで製作される。
【００６１】
変形例（不図示）によれば、中間層２は分岐部４，５，６，７と対向配置されたスロットを備え、高度に変形自在な弾性材料（例えばエラストマ、ポリウレタン等のタイプ）で製作されたインサートがそこに配置される。
【００６２】
このようなインサートは、その弾性により、足前部の戻りを向上させる。
【００６３】
スロットと相補的な形状のインサートは、分岐部４，５，６，７の形状と同一または類似の形状を有することが望ましい。
【００６４】
さらに別の変形例（不図示）では、ソールは、例えば外側層１のみによって構成される単一の層まで減少され、リターンプレートは支持要素とともに外側層に埋設される。
【００６５】
図６，７は、リターンプレート３の機能を示す。
【００６６】
休止時、つまりソールに応力が加えられていない時には、リターンプレート３は図６に概略示されているようにほぼ平坦なかたちで延在する。
【００６７】
例えば図７に見られるように、ユーザが足前部で前方かつ横方向に圧迫を加えた時、分岐部７は矢印Ｄの方向に弾性変形して支持要素７ａを圧縮する。
【００６８】
同時に、分岐部５は矢印の方向に逆の仕方で弾性変形して支持要素５ａを弛緩させる。同様に、支持要素７ａと反対側の支持要素６ａが弛緩する。
【００６９】
こうして、足がソールを横方向に圧迫する時には特に、ソールは足の移動に追従する。そのうえ、リターンプレート３に応力が加わることで蓄積されたエネルギーにより、上述した横方向圧力が解放されるとすぐに、別の位置すなわち休止位置への足の戻りを補助することが可能となる。
【００７０】
このように、足によって横方向の圧迫が行われるたびに分岐部４，５，６，７の一つが影響され、ゆえにリターンプレート３の作用による補助がなされる。
【００７１】
リターンプレート３の分岐部４〜７は、例えば互いに一体である。変形例では、相互に対向して取り付けられた２個のＶ字形部品を固定することによりリターンプレートが得られる。
【００７２】
図８に見られるさらに別の変形例では、２個のＶ字形部品が相互に独立している。ゆえに、一方の２個の分岐部４′，５′と他方の２個の分岐部６′，７′が、足前部で相互に離間した２つの独立した対を構成する。
【００７３】
例として上に説明された実施例のみに本発明が限定されないことは言うまでもない。反対に、すべての変形例が本発明に包含される。すなわち、本発明の範囲から逸脱することなく上述した特徴を様々に関連付けてももよい。
【図面の簡単な説明】
【００７４】
【図１】本発明によるソールを備えたラケットスポーツ用の靴または履物を示す斜視図である。
【図２】本発明によるソールの一実施例を示す分解図である。
【図３】図２のソールを下から見た図である。
【図４】図３のIV-IV線における断面図である。
【図５】図３のV-V線における断面図である。
【図６】本発明によるソールの動力学的要素の機能例を示す概略図である。
【図７】本発明によるソールの動力学的要素の機能例を示す概略図である。
【図８】本発明によるソールの変形例を下から見た図である。
【図１】
0004405391.tif 000002
【図２】
0004405391.tif 000003
【図３】
0004405391.tif 000004
【図４】
0004405391.tif 000005
【図５】
0004405391.tif 000006
【図６】
0004405391.tif 000007
【図７】
0004405391.tif 000008
【図８】
0004405391.tif 000009